(57)【特許請求の範囲】
【請求項１】
登録印と照合印の印鑑照合を行うための印鑑照合プログラムであって、
前記登録印の登録時の署名に基づいて、前記登録印で使用されている漢字を特定する、又は前記照合印の照合時の署名に基づいて、前記照合印で使用されている漢字を特定するステップと、
漢字における外観上の特徴部分である特異点範囲を示す特異点範囲情報に基づいて、特定された前記漢字の前記特異点範囲を特定するステップと、
前記登録印の印影画像と前記照合印の印影画像の重ね合わせを行い、照合率を算出するとともに、特定された前記特異点範囲における特異点照合率を算出するステップとを、
コンピュータに実行させることを特徴とする印鑑照合プログラム。
【請求項２】
前記漢字を特定するステップは、前記登録印の登録時の署名にＯＣＲを適用して得られる漢字コードによって前記登録印で使用されている漢字を特定する、又は前記照合印の照合時の署名に前記ＯＣＲを適用して得られる漢字コードによって前記照合印で使用されている漢字を特定することを含むことを特徴とする請求項１に記載の印鑑照合プログラム。
【請求項３】
算出された前記照合率と前記特異点照合率に対して重み付けを行い、重み付けされた前記照合率と前記特異点照合率に基づいて、総合照合率を算出するステップを更に有することを特徴とする請求項１又は２に記載の印鑑照合プログラム。
【請求項４】
登録印と照合印の印鑑照合を行う印鑑照合装置による印鑑照合方法であって、
前記登録印の登録時の署名に基づいて、前記登録印で使用されている漢字を特定する、又は前記照合印の照合時の署名に基づいて、前記照合印で使用されている漢字を特定するステップと、
漢字における外観上の特徴部分である特異点範囲を示す特異点範囲情報に基づいて、特定された前記漢字の前記特異点範囲を特定するステップと、
前記登録印の印影画像と前記照合印の印影画像の重ね合わせを行い、照合率を算出するとともに、特定された前記特異点範囲における特異点照合率を算出するステップとを、
有することを特徴とする印鑑照合方法。
【請求項５】
前記漢字を特定するステップは、前記登録印の登録時の署名にＯＣＲを適用して得られる漢字コードによって前記登録印で使用されている漢字を特定する、又は前記照合印の照合時の署名に前記ＯＣＲを適用して得られる漢字コードによって前記照合印で使用されている漢字を特定することを含むことを特徴とする請求項４に記載の印鑑照合方法。
【請求項６】
算出された前記照合率と前記特異点照合率に対して重み付けを行い、重み付けされた前記照合率と前記特異点照合率に基づいて、総合照合率を算出するステップを更に有することを特徴とする請求項４又は５に記載の印鑑照合方法。
【請求項７】
登録印と照合印の印鑑照合を行う印鑑照合装置であって、
前記登録印の登録時の署名に基づいて、前記登録印で使用されている漢字を特定する、又は前記照合印の照合時の署名に基づいて、前記照合印で使用されている漢字を特定する第１特定部と、
漢字における外観上の特徴部分である特異点範囲を示す特異点範囲情報を格納する格納部と、
前記特異点範囲情報に基づいて、特定された前記漢字の前記特異点範囲を特定する第２特定部と、
前記登録印の印影画像と前記照合印の印影画像の重ね合わせを行い、照合率を算出するとともに、特定された前記特異点範囲における特異点照合率を算出する算出部とを、
備えることを特徴とする印鑑照合装置。
【発明の詳細な説明】
【技術分野】
【０００１】
本発明は、金融機関における印鑑照合のための印鑑照合技術に関する。
【背景技術】
【０００２】
金融機関において印鑑を照合する際、登録印と照合印の印影画像（印鑑イメージ）を重ね合わせ、ドットの位置やドットの数の比較を行い、照合結果に基づいて類似印か相違印かの判定を行っている。このような印鑑照合の技術が下記の特許文献１に開示されている。
【先行技術文献】
【特許文献】
【０００３】
【特許文献１】特開２００２−９２６１７号公報
【発明の概要】
【発明が解決しようとする課題】
【０００４】
ここで、例えば、「水」と「氷」のように相違点が少ない漢字が使用された登録印と照合印の照合を従来の手法で行った場合、相違点が少ないため、高い照合率が算出される。この場合の登録印と照合印は本来相違するものであるため、相違印であると判定されなければならないが、高い照合率により、オペレータは類似印であると誤った判定をしてしまうという問題があった。
【０００５】
本発明は、上記課題に鑑み、相違点が少ない漢字を使用した印鑑の照合であっても、正確な判断をさせ、照合精度を向上させることができる印鑑照合プログラムを提供することを目的とする。
【課題を解決するための手段】
【０００６】
上記目的を達成するために、本発明の印鑑照合プログラムは、登録印と照合印の印鑑照合を行うための印鑑照合プログラムであって、前記登録印の登録時の署名に基づいて、前記登録印で使用されている漢字を特定する、又は前記照合印の照合時の署名に基づいて、前記照合印で使用されている漢字を特定するステップと、漢字における外観上の特徴部分である特異点範囲を示す特異点範囲情報に基づいて、特定された前記漢字の前記特異点範囲を特定するステップと、前記登録印の印影画像と前記照合印の印影画像の重ね合わせを行い、照合率を算出するとともに、特定された前記特異点範囲における特異点照合率を算出するステップとをコンピュータに実行させることを特徴とする。
【０００７】
また、本発明の印鑑照合プログラムにおいて、前記漢字を特定するステップにおいて、前記登録印の登録時の署名にＯＣＲ（Optical Character Reader）を適用して得られる漢字コードによって前記登録印で使用されている漢字を特定する、又は前記照合印の照合時の署名に前記ＯＣＲを適用して得られる漢字コードによって前記照合印で使用されている漢字を特定することは、好ましい態様である。
【０００８】
また、本発明の印鑑照合プログラムにおいて、算出された前記照合率と前記特異点照合率に対して重み付けを行い、重み付けされた前記照合率と前記特異点照合率に基づいて、総合照合率を算出するステップを更に有することは、好ましい態様である。
【０００９】
また、本発明の印鑑照合方法は、登録印と照合印の印鑑照合を行う印鑑照合装置による印鑑照合方法であって、前記登録印の登録時の署名に基づいて、前記登録印で使用されている漢字を特定する、又は前記照合印の照合時の署名に基づいて、前記照合印で使用されている漢字を特定するステップと、漢字における外観上の特徴部分である特異点範囲を示す特異点範囲情報に基づいて、特定された前記漢字の前記特異点範囲を特定するステップと、前記登録印の印影画像と前記照合印の印影画像の重ね合わせを行い、照合率を算出するとともに、特定された前記特異点範囲における特異点照合率を算出するステップとを有する。
【００１０】
また、本発明の印鑑照合方法において、前記漢字を特定するステップにおいて、前記登録印の登録時の署名にＯＣＲを適用して得られる漢字コードによって前記登録印で使用されている漢字を特定する、又は前記照合印の照合時の署名に前記ＯＣＲを適用して得られる漢字コードによって前記照合印で使用されている漢字を特定することは、好ましい態様である。
【００１１】
また、本発明の印鑑照合方法において、算出された前記照合率と前記特異点照合率に対して重み付けを行い、重み付けされた前記照合率と前記特異点照合率に基づいて、総合照合率を算出するステップを更に有することは、好ましい態様である。
【００１２】
また、本発明の印鑑照合装置は、登録印と照合印の印鑑照合を行う印鑑照合装置であって、前記登録印の登録時の署名に基づいて、前記登録印で使用されている漢字を特定する、又は前記照合印の照合時の署名に基づいて、前記照合印で使用されている漢字を特定する第１特定部と、漢字における外観上の特徴部分である特異点範囲を示す特異点範囲情報を格納する格納部と、前記特異点範囲情報に基づいて、特定された前記漢字の前記特異点範囲を特定する第２特定部と、前記登録印の印影画像と前記照合印の印影画像の重ね合わせを行い、照合率を算出するとともに、特定された前記特異点範囲における特異点照合率を算出する算出部とを備える。上記第１特定部は、後述する漢字特定部２３に相当する。上記第２特定部は、後述する特異点特定部２４に相当する。上記算出部は、後述する照合部２５に相当する。
【発明の効果】
【００１３】
本発明によれば、相違点が少ない漢字を使用した印鑑の照合であっても、正確な判断をさせ、照合精度を向上させることができる。
【図面の簡単な説明】
【００１４】
【図１】実施の形態に係る印鑑照合装置を含む印鑑照合システムの一例を示す構成図である。
【図２Ａ】実施の形態における口座テーブルの一例を示す図である。
【図２Ｂ】実施の形態における口座テーブルに格納された各顧客に関する情報を模式的に示した図である。
【図３】実施の形態における印鑑照合システムの印鑑登録の処理フローの一例を示すフローチャートである。
【図４】実施の形態に係る印鑑照合装置の機能ブロックの一例を示す機能ブロック図である。
【図５Ａ】実施の形態における漢字データテーブルの一例を示す図である。
【図５Ｂ】実施の形態における漢字データテーブルに格納された各漢字に関する情報を模式的に示した図である。
【図６Ａ】実施の形態における類似漢字テーブルの一例を示す図である。
【図６Ｂ】実施の形態における類似漢字テーブルに格納された類似漢字グループ番号に対応する特異点範囲を模式的に示した図である。
【図７】実施の形態における照合結果の表示例を示す図である。
【図８】実施の形態に係る印鑑照合装置を実現するためのハードウェア構成の一例を示すハードウェア構成図である。
【図９】実施の形態に係る印鑑照合装置の印影照合処理フローの一例を示すフローチャートである。
【発明を実施するための形態】
【００１５】
以下、実施の形態について図面を参照して説明する。図１は、本発明の実施の形態に係る印鑑照合装置を含む印鑑照合システムの一例を示す図である。図１に示すように、印鑑照合システム１は、印鑑照合装置２、画像読取装置３、印影データベース４から構成されており、印鑑照合装置２は、画像読取装置３及び印影データベース４と、無線又は有線のネットワークにより通信可能に接続されている。
【００１６】
印鑑照合装置２は、印影照合（以下、印鑑照合とも言う）を行う際に、金融機関の職員（オペレータ）によって使用される装置であって、登録印と照合印の印影データの照合を行い、照合結果を表示する。
【００１７】
画像読取装置３は、振込、出金、口座振替などの目的で顧客から提出される帳票（専用帳票とも言う）や、口座開設用帳票（自署名済、押印済）を読み取る装置であって、例えばスキャナなどである。画像読取装置３は、例えば、専用帳票を読み取ることで、読取データ（照合データ）、すなわち、照合顧客番号、照合本支店番号、照合口座番号、照合印影データ（照合印の印影画像とも言う）を取得する。
【００１８】
印影データベース４は、顧客の登録印の印影データなどを管理するものであって、例えば、図２Ａに示すような、登録顧客番号、登録本支店番号、登録口座番号、登録印影データ（登録印の印影画像とも言う）、登録署名データ、登録署名漢字個数、登録署名漢字コードから構成される口座テーブルなどを記憶している。これらの情報は、印鑑の登録処理が行われることにより、口座テーブルに格納される。
【００１９】
ここで、印鑑の登録処理フローの一例について図３を用いて説明する。画像読取装置３は、顧客から提出された口座開設用帳票を読み取る（ステップＳ３０１）。印鑑照合装置２は、読み取られたデータを印影データベース４の口座テーブルに格納する（ステップＳ３０２）。口座開設用帳票から読み取られるデータは、登録顧客番号、登録本支店番号、登録口座番号、登録印影データ、登録署名データである。印鑑照合装置２は、読み取られた登録署名データを、不図示のＯＣＲにかけ（適用し）、出力されるデータ、すなわち、署名された漢字の個数である登録署名漢字個数と、署名された漢字に対応した漢字コードを口座テーブルに格納する（ステップＳ３０３）。
【００２０】
ＯＣＲは、手書き文字や印字された文字を光学的に読み取り、前もって記憶されたパターンとの照合により文字を特定するものである。また、漢字コードは、各漢字に対して割り振られるコードであって、例えば、ＪＩＳコードやシフトＪＩＳコードなどである。
【００２１】
図２Ｂは、図２Ａに示す口座テーブルに格納された各顧客に関する情報を模式的に示したものである。
【００２２】
次に、実施の形態に係る印鑑照合装置の機能ブロックの一例について図４を用いて説明する。印鑑照合装置２は、照合印影データ取得部２１、登録印影データ検索部２２、漢字特定部２３、特異点特定部２４、照合部２５、表示部２６、記憶部２７から構成されている。印鑑照合装置２の構成要素は、これらに限定されるものではなく、他の構成要素を含むものであってもよく、また１つの構成要素が複数の構成要素の役割を担うように構成されたものであってもよい。
【００２３】
照合印影データ取得部２１は、画像読取装置３によって読み取られた照合印影データ及び照合顧客番号を取得する。
【００２４】
登録印影データ検索部２２は、照合印影データ取得部２１によって取得された照合顧客番号をキーとして、印影データベース４の口座テーブルを探索し、該当する登録顧客番号に関連付けられた登録印影データを取得する。
【００２５】
漢字特定部２３（第１特定部とも言う）は、登録印や照合印で使用されている漢字を特定する。以下で漢字の具体的な特定方法について説明する。
【００２６】
漢字特定部２３は、登録印影データ検索部２２によって取得された登録印影データを格納する口座テーブルから、登録印影データに関連付けられて記憶された登録署名漢字コード（図２Ａに示す口座テーブルでは、４つの漢字コード）を取得し、それぞれの漢字コードに対応する漢字を漢字データテーブルから探索して漢字を特定する。漢字データテーブルは、例えば、記憶部２７に記憶されるテーブルであって、図５Ａに示すテーブルである。
【００２７】
漢字データテーブルは、漢字コード、漢字データイメージ、類似漢字グループ番号から構成されている。漢字コードは、上述したように、各漢字に対して割り振られるコードである。漢字データイメージは、漢字コードに対応する漢字のイメージであり、例えばバイナリデータとして記憶されている。類似漢字グループ番号は、漢字コードに対応する漢字が属する、類似する漢字のグループの番号である。なお、類似漢字グループ番号が漢字データテーブルの構成要素でなくてもよい。この場合、後述する図６Ａ及び図６Ｂの類似漢字グループ番号は漢字コードとなる。
【００２８】
図５Ａの漢字データテーブルでは、漢字コードがそれぞれ異なるが、類似漢字グループ番号が同一であるものが示されていることから、それぞれの漢字は、異なる漢字であるが類似していることを示している。図５Ｂは、図５Ａの漢字データテーブルの各漢字に関する情報を模式的に示した図である。
【００２９】
漢字データテーブルは、類似する漢字をあらかじめ関連付けて記憶しているが、印鑑照合を行う過程で類似すると思われる漢字があった場合には、オペレータがその都度、その漢字を関連付けて漢字データテーブルに登録するようにしてもよい。
【００３０】
なお、上述した例では、漢字を特定する際、登録印の口座テーブルの登録署名漢字コードを用いて漢字を特定しているが、この方法に限定されるものではない。例えば、専用帳票に記載された署名がスキャナで読み取られ、読み取られた署名データをＯＣＲにかけ、出力される漢字コードから漢字を特定してもよい。また、漢字の特定方法は、署名データをＯＣＲにかけるものに限定されるものではなく、他の方法によって漢字を特定してもよい。
【００３１】
特異点特定部２４（第２特定部とも言う）は、特定された漢字における外観上の特徴部分である特異点範囲を特定する。以下で特異点範囲の具体的な特定方法について説明する。なお、この例では、特異点範囲はすべての漢字に存在するものとしているが、特異点範囲がない漢字が存在してもよく、その場合には、後述する特異点範囲に絞った照合は行われず、印影データ全体の照合（通常照合）のみが行われる。
【００３２】
特異点特定部２４は、漢字特定部２３によって特定された漢字に関連付けられた類似漢字グループ番号を漢字データテーブルから取得し、取得された類似漢字グループ番号をキーとして、類似漢字テーブルから該当する類似漢字グループ番号を探索し、探索された類似漢字グループ番号に関連付けられた特異点範囲情報を取得し、特異点範囲を特定する。類似漢字テーブルは、例えば、記憶部２７に記憶されるテーブルであって、図６Ａに示すテーブルである。なお、上述した漢字データテーブルと類似漢字テーブルを類似漢字データベースとして記憶部２７に記憶してもよい。
【００３３】
類似漢字テーブルは、類似漢字グループ番号と特異点範囲情報から構成されている。特異点範囲情報は、類似漢字グループ番号のグループに属する漢字の特異点の範囲を示す。この例では、特異点範囲情報は、４つの座標情報によって示されており、これらの座標によって囲まれた範囲を特異点範囲としている。特異点範囲情報によって特定される特異点範囲を模式的に示したものを図６Ｂに示す。図６Ｂに示される特異点範囲は、類似漢字グループ番号「００００１」のグループに属する漢字の特異点範囲である。なお、座標の原点については、漢字部分を含む切り出し領域の範囲内であればどこであってもよい。
【００３４】
照合部２５（算出部とも言う）は、登録印影データと照合印影データを重ね合わせ、通常照合による照合率を算出するとともに、特異点範囲に絞った照合（重点照合）による照合率（特異点照合率）を算出する。通常照合による照合率以外に、特異点範囲に絞った特異点照合率が算出されることにより、相違点が少ない漢字を使用した印鑑の照合の場合でも、算出される特異点照合率に反映されるため、正確な照合判断をさせることができる。特異点照合率の算出では、登録署名漢字個数分の特異点照合率が算出される。なお、この例では、特異点範囲に絞った照合を行っているが、これに限られるものではなく、特異点範囲を含む漢字全体に絞った照合を行うようにしてもよい。
【００３５】
また、照合部２５は、算出した通常照合による照合率や特異点照合率などの照合結果をディスプレイなどの表示部２６に表示する。表示部２６に表示される照合結果の表示例を図７に示す。この表示例では、照合印と、登録印と、照合印と登録印を照合した（重ね合わせた）照合結果の印が示されており、さらに、照合結果として、通常照合の照合率と、各重点照合（重点照合１から４）の照合率（特異点照合率）とが示されている。各重点照合の照合率は、４つの漢字それぞれの照合率を示している。
【００３６】
この例では、「己」と「巳」の重点照合の照合率が８５％であり、他の漢字の照合率に比べて低い。すなわち、特異点範囲において、相違点が存在することを示している。図７の表示例では、「己」と「巳」を重ね合わせたものが、重点照合結果重点照合４として表示されており、オペレータは、この表示を見ることにより、相違部分を確認することができる。なお、他の漢字の重点照合の結果を見たい場合には、重点照合結果切替のアイコンを押下することにより、他の漢字の重点照合結果が表示される。
【００３７】
また、照合部２５は、通常照合の照合率と各重点照合の照合率に対して、重要度などに応じた重み付けを行い、重み付けされた通常照合の照合率と各重点照合の照合率を足し合わせて総合照合率を算出し、算出した総合照合率を表示するようにしてもよい。
【００３８】
また、照合部２５は、各漢字の特異点範囲と、類似する漢字データイメージを表示するようにしてもよい。また、照合部２５は、次回以降に行われる照合の際で利用できるように、特定された特異点範囲と重点照合の結果を記憶部２７に記憶するようにしてもよい。これにより、照合の精度向上に繋がる。
【００３９】
次に、実施の形態に係る印鑑照合装置を実現するためのハードウェア構成の一例について図８を用いて説明する。図８に示すように、ハードウェア構成は、例えば、ＣＰＵ（Ｃｅｎｔｒａｌ Ｐｒｏｃｅｓｓｉｎｇ Ｕｎｉｔ）８１、ＨＤＤ（Ｈａｒｄ Ｄｉｓｋ Ｄｒｉｖｅ）８２、ＲＯＭ（Ｒｅａｄ Ｏｎｌｙ Ｍｅｍｏｒｙ）８３、ＲＡＭ（Ｒａｎｄｏｍ Ａｃｃｅｓｓ Ｍｅｍｏｒｙ）８４、通信インタフェース（Ｉ／Ｆ）８５、入力装置８６、出力装置８７、バス８８を備えている。ＣＰＵ８１、ＨＤＤ８２、ＲＯＭ８３、ＲＡＭ８４、通信インタフェース（Ｉ／Ｆ）８５、入力装置８６、出力装置８７は、例えば、バス８８を介して互いに接続されている。
【００４０】
ＣＰＵ８１は、バス８８を介して、ＨＤＤ８２などに格納される印鑑照合装置２の各種処理を行うためのプログラムを読み込み、読み込んだプログラムをＲＡＭ８４に一時的に格納し、そのプログラムにしたがって各種処理を行うものであり、主として上述した漢字特定部２３、特異点特定部２４、照合部２５として機能する。
【００４１】
ＨＤＤ８２には、印鑑照合装置２の各種処理を行うためのアプリケーションプログラムや、印鑑照合装置２の処理に必要なデータ（上述した漢字データテーブルや類似漢字テーブル）などが格納され、主として上述した記憶部２７として機能する。
【００４２】
ＲＯＭ８３は、不揮発性メモリであって、ブートプログラムやＢＩＯＳなどのプログラムを記憶する。
【００４３】
ＲＡＭ８４は、揮発性メモリであって、ＣＰＵ８１に実行させるためのＯＳ（Ｏｐｅｒａｔｉｎｇ Ｓｙｓｔｅｍ）プログラムやアプリケーションプログラムの一部が一時的に格納される。また、ＲＡＭ８４には、ＣＰＵ８１による処理に必要な各種データが格納される。
【００４４】
通信インタフェース（Ｉ／Ｆ）８５は、外部（画像読取装置３や印影データベース４）とデータの送受信を行う。
【００４５】
入力装置８６は、各種情報を入力するものであり、例えば、印鑑照合装置２を操作するために必要な情報（ＩＤ番号及びパスワード）などの入力を行うものであり、キーボード、マウス、タッチパネルなどである。
【００４６】
出力装置８７は、印鑑照合装置２（照合部２５）で生成された照合結果などをディスプレイなどに表示するものであり、主として上述した表示部２６として機能する。
【００４７】
バス８８は、各装置間の制御信号、データ信号などの授受を媒介する経路である。
次に、実施の形態に係る印鑑照合装置の印影照合処理フローの一例について図９を用いて説明する。照合印影データ取得部２１は、画像読取装置３によって読み取られた照合印影データ及び照合顧客番号を取得する（ステップＳ９０１）。登録印影データ検索部２２は、照合印影データ取得部２１によって取得された照合顧客番号をキーとして、印影データベース４の口座テーブルを探索し、該当する登録顧客番号に関連付けられた登録印影データを取得する（ステップＳ９０２）。漢字特定部２３は、取得された登録印影データを格納する口座テーブルから、登録印影データに関連付けられて記憶された登録署名漢字コードを取得し、それぞれの漢字コードに対応する漢字を漢字データテーブルから探索して漢字を特定する（ステップＳ９０３）。
【００４８】
特異点特定部２４は、特定された漢字に関連付けられた類似漢字グループ番号を漢字データテーブルから取得し、取得された類似漢字グループ番号をキーとして、類似漢字テーブルから該当する類似漢字グループ番号を探索し、探索された類似漢字グループ番号に関連付けられた特異点範囲情報を取得し、特異点範囲を特定する（ステップＳ９０４）。
【００４９】
照合部２５は、登録印影データと照合印影データを重ね合わせ、通常照合の照合率を算出するとともに、特定された特異点範囲に基づいて特異点照合率を算出する（ステップＳ９０５）。照合部２５は、登録署名漢字個数分の特異点照合率を算出したか否かを判断し（ステップＳ９０６）、算出していない場合（ステップＳ９０６でＮＯの場合）、ステップＳ９０５に戻り、次の漢字の特異点照合率の算出を行う。一方、算出している場合（ステップＳ９０６でＹＥＳの場合）、照合部２５は、算出された通常照合の照合率と特異点照合率を表示部２６に表示する（ステップＳ９０７）。
【００５０】
なお、ステップＳ９０６において、照合部２５が、登録署名漢字個数分の特異点照合率を算出したと判断した際に、上述した総合照合率を算出し、ステップＳ９０７において、算出された通常照合の照合率と特異点照合率とともに、総合照合率を表示するようにしてもよい。
【００５１】
上述したような印鑑照合装置、印鑑照合プログラム、印鑑照合方法によれば、相違点が少ない漢字を使用した印鑑の照合であっても、正確な判断をさせ、照合精度を向上させることができる。
【００５２】
なお、上述した実施の形態では、印鑑照合装置の主な処理をＣＰＵによるソフトウェア処理によって実行するものとして説明したが、この処理の全部又は一部をハードウェアによって実現するようにしてもよい。
【００５３】
また、上述した実施の形態は、上述したものに限定されるものではなく、実施の形態の要旨を逸脱しない範囲において種々の変更を加えることができる。
【符号の説明】
【００５４】
１  印鑑照合システム
２  印鑑照合装置
３  画像読取装置
４  印影ベータベース
２１  照合印影データ取得部
２２  登録印影データ検索部
２３  漢字特定部
２４  特異点特定部
２５  照合部
２６  表示部
２７  記憶部
８１  ＣＰＵ
８２  ＨＤＤ
８３  ＲＯＭ
８４  ＲＡＭ
８５  Ｉ／Ｆ
８６  入力装置
８７  出力装置
８８  バス
【図１】
0006545563.tif 000002
【図２Ａ】
0006545563.tif 000003
【図２Ｂ】
0006545563.tif 000004
【図３】
0006545563.tif 000005
【図４】
0006545563.tif 000006
【図５Ａ】
0006545563.tif 000007
【図５Ｂ】
0006545563.tif 000008
【図６Ａ】
0006545563.tif 000009
【図６Ｂ】
0006545563.tif 000010
【図７】
0006545563.tif 000011
【図８】
0006545563.tif 000012
【図９】
0006545563.tif 000013